(57)【要約】【課題】光学シートの表裏の逆配置を容易に発見することができ、かつ小型の表示装置用照明装置を提供することを目的とする。【解決手段】バックライト装置３は、積層された光学シート３３、３４、３５、３６が、蛍光灯３１からの光を受けるように、トレイ３２内に、その壁部３２ｂによって周囲を取り囲まれて収容されている。光学シート３３、３４、３５、３６の１つの角部Ａの先端は、角部Ａを構成する二辺３３ａ、３３ｂ、３４ａ、３４ｂ、３５ａ、３５ｂ、３６ａ、３６ｂ間にわたる線分３３ｃ、３４ｃ、３５ｃ、３６ｃによって取り除かれたような形状に形成され、トレイ３２の壁部３２ｂは、先端が取り除かれた角部Ａの形状に対応するように、角部Ａの線分３３ｃ、３４ｃ、３５ｃ、３６ｃに沿って対向面３２ｃが形成され、線分３３ｃ、３４ｃ、３５ｃ、３６ｃを拘束している。【選択図】図２
2008218432.tif 000002
【特許請求の範囲】
【請求項１】
複数の角部を有するとともに、ハウジング内の光源からの光を受けるように、該ハウジング内に、その壁部によって周囲を取り囲まれて収容された光学シートを備えた表示装置用照明装置において、
前記光学シートの少なくとも１つの前記角部の先端は、その角部を構成する二辺間にわたる線分によって取り除かれたような形状をしており、前記ハウジングの前記壁部は、先端が取り除かれた前記角部の形状に対応するように、前記角部の前記線分に沿って対向面が形成されており、前記光学シートがその表裏が反転した状態で前記ハウジングに収容された場合、その他の前記角部のうちの１つが、前記ハウジングの前記対向面が形成された部位に配置されて、前記対向面に乗り上げることを特徴とする表示装置用照明装置。
【請求項２】
複数枚の前記光学シートが積層されて前記ハウジングに収容され、これらの光学シートの少なくとも１つの前記角部の先端は、前記ハウジングの前記対向面に沿うように、前記線分によって、ともに取り除かれたような同一形状に形成されることによりシート反転検出部を形成しており、その他の前記角部のうちの少なくとも１つの先端は、その角部を構成する二辺間にわたる第２線分によって、ともに取り除かれたような形状をしているとともに、それらが残存部位の大きいものから順に積み上げられることによりシート欠品検出部を形成し、前記光学シートがその表裏が反転した状態で前記ハウジングに収容された場合、前記シート欠品検出部が前記ハウジングの前記対向面が形成された部位に配置されて、前記対向面に乗り上げることを特徴とする請求項１に記載の表示装置用照明装置。
【請求項３】
各々の前記光学シートは略長方形を呈しており、前記シート反転検出部は、前記光学シートの対角線上に互いに対向する角部に一対に設けられ、前記シート欠品検出部は、残りの角部のうちの一つに形成されていることを特徴とする請求項２に記載の表示装置用照明装置。
【請求項４】
各々の前記光学シートは略長方形を呈しており、前記シート欠品検出部は、前記光学シートの対角線上に互いに対向する角部に一対に設けられ、前記シート反転検出部は、残りの角部のうちの一つに形成されていることを特徴とする請求項２に記載の表示装置用照明装置。
【請求項５】
各々の前記光学シートは略長方形を呈しており、前記シート反転検出部は、前記光学シートの対角線上に互いに対向する角部に一対に設けられ、前記シート欠品検出部は、残りの角部に一対に形成されていることを特徴とする請求項２に記載の表示装置用照明装置。
【請求項６】
各々の前記光学シートは略長方形を呈しており、その一つの対角線上にある対向する角部において、前記シート反転検出部と前記シート欠品検出部が一つずつ形成されていることを特徴とする請求項２に記載の表示装置用照明装置。
【請求項７】
各々の前記光学シートは略長方形を呈しており、その４つの角部のうち、３つの角部に前記シート欠品検出部が形成され、残る１つの角部に前記シート反転検出部が形成されていることを特徴とする請求項２に記載の表示装置用照明装置。
【請求項８】
各々の前記光学シートは略長方形を呈しており、その４つの角部のうち、３つの角部に前記シート反転検出部が形成され、残る１つの角部に前記シート欠品検出部が形成されていることを特徴とする請求項２に記載の表示装置用照明装置。
【請求項９】
前記シート欠品検出部においては、前記角部を構成する二辺が、直線によって連結される前記光学シートの上に、前記角部を構成する二辺が、外方へ突出するように円弧によって連結される前記光学シートが積み上げられ、更に、その上に前記角部を構成する二辺が直線によって連結される前記光学シートを積層し、前記円弧の端部を、その上に積層された前記光学シートの前記直線が結ぶ位置にあることを特徴とする請求項２に記載の表示装置用照明装置。
【請求項１０】
前記光学シートは、略長方形を呈したシート部材の前記角部を切断して形成したことを特徴とする請求項２に記載の表示装置用照明装置。
【請求項１１】
前記光学シートは、成形型を用いて前記角部を取り除いたような形状に形成されたことを特徴とする請求項２に記載の表示装置用照明装置。
【請求項１２】
請求項１乃至請求項１１のいずれかに記載の表示装置用照明装置の前方に、表示ディスプレイを配置したことを特徴とする表示装置。
【請求項１３】
請求項１２に記載の表示装置を備えたことを特徴とするテレビ受信装置。
【発明の詳細な説明】
【技術分野】
【０００１】
本発明は、液晶パネル等に使用される表示装置用照明装置、これを使用した表示装置、およびそれを備えたテレビ受信装置に関する。
【背景技術】
【０００２】
液晶表示装置用のバックライト装置に関する従来技術として、特許文献１に記載されたものがあった。これは、複数の光学シートが積層されて、光源の収容部と対向するように配置されており、これらによって、光源からの発光がむらなく表示ディスプレイに照射されるようになっている。
ところで、複数の光学シートのなかに、表裏における方向性を備えたものを含んでいる場合がある。これに該当する光学シートを、その表裏を誤って逆に配置すれば、ディスプレイに対して適正な照明を行うことができず、その照明装置を使用した表示装置は画像を正確に表示することができない。
特許文献１に記載された従来技術においては、各々の光学シートの一辺から耳部を突出させ、その耳部を光学シート間において互いに異なった位置に形成して、いずれかの光学シートが表裏逆に配置された場合に、その耳部の位置が変則的になることから、表裏が誤って配置されたことを容易に発見できる。
【特許文献１】特開２０００−１１７２８公報（第１図）
【発明の開示】
【発明が解決しようとする課題】
【０００３】
しかしながら、上述した従来技術においては、光学シートから耳部が突出していることから、これらを収容するハウジングが耳部の大きさだけ大型化し、照明装置全体が大型化することになる。装置を小型化するためには、光学シートの外形を小さくしなければならず、耳部を具備したままでは、光学シートのアクティブエリアを狭める結果となる。本発明は上記のような事情に基づいて完成されたものであって、光学シートの表裏の逆配置を容易に発見することができ、かつ小型の表示装置用照明装置、これを使用した表示装置、およびそれを備えたテレビ受信装置を提供することを目的とする。
【課題を解決するための手段】
【０００４】
本発明は、複数の角部を有するとともに、ハウジング内の光源からの光を受けるように、該ハウジング内に、その壁部によって周囲を取り囲まれて収容された光学シートを備えた表示装置用照明装置において、前記光学シートの少なくとも１つの前記角部の先端は、その角部を構成する二辺間にわたる線分によって取り除かれたような形状をしており、前記ハウジングの前記壁部は、先端が取り除かれた前記角部の形状に対応するように、前記角部の前記線分に沿って対向面が形成されており、前記光学シートがその表裏が反転した状態で前記ハウジングに収容された場合、その他の前記角部のうちの１つが、前記ハウジングの前記対向面が形成された部位に配置されて、前記対向面に乗り上げる。
これにより、角部のうちの１つが対向面に乗り上げるため、光学シートが裏向きに配置されたことを容易に発見することができる。また、光学シートの角部の先端を取り除いたような形状にしたのみであるため、光学シートのアクティブエリアを犠牲にせずに、小型の照明装置にすることができる。
尚、上記ハウジングは、金属あるいは合成樹脂などの材料を用いた複数の部品からなるものをも含み、単一の部品で形成されているもののみの概念ではない。
【０００５】
本発明の実施態様として、次の構成が好ましい。
（１）複数枚の光学シートが積層されてハウジングに収容され、これらの光学シートの少なくとも１つの角部の先端は、ハウジングの対向面に沿うように、線分によって、ともに取り除かれたような同一形状に形成されることによりシート反転検出部を形成しており、その他の角部のうちの少なくとも１つの先端は、その角部を構成する二辺間にわたる第２線分によって、ともに取り除かれたような形状をしているとともに、それらが残存部位の大きいものから順に積み上げられることによりシート欠品検出部を形成し、光学シートがその表裏が反転した状態でハウジングに収容された場合、シート欠品検出部がハウジングの対向面が形成された部位に配置されて、対向面に乗り上げる。
このため、シート反転検出部により、光学シートが裏向きに配置されたことを容易に発見することができるとともに、シート欠品検出部によって、複数枚の光学シート中の欠品も容易に発見することができる。
尚、上記同一形状は、ハウジングの対向面に対応する形状であることを意味し、その範囲内でのわずかな形状、寸法の違ったものを含む概念である。
【０００６】
（２）各々の光学シートは略長方形を呈しており、シート反転検出部は、光学シートの対角線上に互いに対向する角部に一対に設けられ、シート欠品検出部は、残りの角部のうちの一つに形成されていることにより、最低、隣り合った２箇所の角部を確認すれば、光学シートの裏向き配置を発見することができ、その確認を短時間で容易に行うことができる。
（３）各々の光学シートは略長方形を呈しており、シート欠品検出部は、光学シートの対角線上に互いに対向する角部に一対に設けられ、シート反転検出部は、残りの角部のうちの一つに形成されていることにより、最低、隣り合った２箇所の角部を確認すれば、光学シートの欠品を発見することができ、その確認を短時間で容易に行うことができる。
（４）各々の光学シートは略長方形を呈しており、シート反転検出部は、光学シートの対角線上に互いに対向する角部に一対に設けられ、シート欠品検出部は、残りの角部に一対に形成されていることにより、最低、隣り合った２箇所の角部を確認すれば、光学シートの裏向き配置と欠品とを発見することができ、これらの確認を短時間で容易に行うことができる。
【０００７】
（５）各々の光学シートは略長方形を呈しており、その一つの対角線上にある対向する角部において、シート反転検出部とシート欠品検出部が一つずつ形成されていることにより、略長方形を呈したシート部材の角部を切断して形成する場合、切断箇所を低減でき、短時間で製造することが可能となる。
（６）各々の光学シートは略長方形を呈しており、その４つの角部のうち、３つの角部にシート欠品検出部が形成され、残る１つの角部にシート反転検出部が形成されていることにより、３箇所の欠品検出部にて、光学シート中の欠品の検出が確実にできる。
（７）各々の光学シートは略長方形を呈しており、その４つの角部のうち、３つの角部にシート反転検出部が形成され、残る１つの角部にシート欠品検出部が形成されていることにより、３箇所の反転検出部にて、光学シートが裏向きに配置されたことの検出が確実にできる。
【０００８】
（８）シート欠品検出部においては、角部を構成する二辺が、直線によって連結される光学シートの上に、角部を構成する二辺が、外方へ突出するように円弧によって連結される光学シートが積み上げられ、更に、その上に角部を構成する二辺が直線によって連結される光学シートを積層し、円弧の端部を、その上に積層された光学シートの直線が結ぶ位置にあることにより、３枚のシートを重ね合わせても、円弧とその上に積層された光学シートの直線とが重なることはなく、これらを明瞭に識別できる。また、最上に位置する光学シートの直線は、円弧から離れて内方へ深く入り込んで設けられることがなく、その切断幅が大きくなることがないため、小型、軽量の表示装置用照明装置にすることができる。
【０００９】
（９）光学シートは、略長方形を呈したシート部材の角部を切断して形成したことにより、光学シートの素材として、多用される略長方形を呈した通常のシート部材を使用でき、低コストの光学シートにすることができる。
（１０）光学シートは、成形型を用いて角部を取り除いたような形状に形成されたことにより、切断等をすることなく、成形工程のみで光学シートを製造することができる。
（１１）上記表示装置用照明装置の前方に、表示ディスプレイを配置したことにより、光学シートが裏向きに配置されたことを容易に発見することができる、小型の表示装置にすることができる。
（１２）上記表示装置を備えた構成としたことにより、光学シートが裏向きに配置されたことを容易に発見することができる、小型のテレビ受信装置にすることができる。
【発明の効果】
【００１０】
光学シートが裏向きに配置されたことを容易に発見することができるため、製造のための作業性が向上し、低コストの表示装置用照明装置にすることができる。
【発明を実施するための最良の形態】
【００１１】
＜実施形態＞
本発明の実施形態を図１乃至図７によって説明する。本実施形態によるテレビ受信装置１は、液晶ディスプレイ２、チューナー回路５、これらを収容する収容ケース６、液晶ディスプレイ２の前面に装着されるキャビネット７、および収容ケース６を下方より支えるスタンド８とにより構成されている（図１示）。液晶ディスプレイ２は、本発明の表示装置に該当しており、バックライト装置３（本発明の表示装置用照明装置に該当する）と、その前方に配置され、画像表示可能なディスプレイパネル４（本発明の表示ディスプレイに該当する）によって構成されている（図２示）。
【００１２】
ディスプレイパネル４は、それぞれフレーム４１内に嵌装された一対のガラス基板４２と、その間に介装され、一対の透明電極と、液晶を含んだ配向膜とによって構成されたパネル基板４３とを備えている。一方、バックライト装置３はこれに限定されるものではないが、複数の蛍光灯３１（本発明の光源に該当する）を収容したトレイ３２（本発明のハウジングに該当する）と、その真上に配置された導光板３３、その上に配置された拡散シート３４、および、更にその上に配置された２枚のレンズシート３５、３６とを備えた直下型バックライト装置と呼ばれるものである。導光板３３、拡散シート３４およびレンズシート３５、３６は合成樹脂により形成され、本発明の光学シートに該当し、図２に示すように、それぞれ４つの角部を有することにより、いずれも平面視において略長方形を呈している。
【００１３】
図２に示すように、トレイ３２内には反射シート３２ａが設けられ、複数の蛍光灯３１は反射シート３２ａ上に位置している。各々の蛍光灯３１は、トレイ３２内に等間隔に平行に配置され、全体として平面状に設けられている。積層された導光板３３、拡散シート３４およびレンズシート３５、３６は、蛍光灯３１からの光を受けるように、トレイ３２内に、その矩形状の壁部３２ｂによって周囲を取り囲まれて、その位置を拘束されながら収容されている（図２、図４、および図５示）。
【００１４】
積層された導光板３３、拡散シート３４およびレンズシート３５、３６の、同一位置にある１つの角部（図３においてＡにて示す）の先端は、その角部Ａを構成する二辺３３ａ、３３ｂ、３４ａ、３４ｂ、３５ａ、３５ｂ、３６ａ、３６ｂ間にわたる線分（それぞれ二辺３３ａ、３３ｂ、３４ａ、３４ｂ、３５ａ、３５ｂ、３６ａ、３６ｂに対して、４５°の角度を成す直線）３３ｃ、３４ｃ、３５ｃ、３６ｃによって、三角形状に同一量だけ取り除かれたように形成されている。これにより、導光板３３、拡散シート３４およびレンズシート３５、３６の角部Ａは、互いに同一形状となり、角部Ａにはシート反転検出部が形成される（図４Ａ示）。尚、導光板３３、拡散シート３４およびレンズシート３５、３６は、当初長方形を呈したシート部材の角部Ａを、それぞれ直線３３ｃ、３４ｃ、３５ｃ、３６ｃによって、実際に切断して形成してもよいし、あるいは、成形型を用いて、当初からそれぞれの角部Ａの先端が取り除かれた形状をしたシート３３、３４、３５、３６に形成してもよい。
【００１５】
一方、トレイ３２の、導光板３３、拡散シート３４およびレンズシート３５、３６の、角部Ａが配置される壁部３２ｂには、先端が取り除かれたような角部Ａの形状に対応するように、角部Ａの線分３３ｃ、３４ｃ、３５ｃ、３６ｃに沿って対向面３２ｃが形成され、トレイ３２への収容後の、線分３３ｃ、３４ｃ、３５ｃ、３６ｃを拘束している（図４Ｂ示）。尚、導光板３３、拡散シート３４およびレンズシート３５、３６の、その他の角部（後述する角部Ｂ、Ｃ、Ｄ）が配置される壁部３２ｂの部位には、対向面３２ｃは形成されていない（図２および図５示）。
【００１６】
また、拡散シート３４およびレンズシート３５、３６の各々は、その角部Ａを除いた、その他の角部のうちの１つ（図３においてＢにて示す）の先端が、角部Ｂを構成する二辺３４ａ、３４ｄ、３５ａ、３５ｄ、３６ａ、３６ｄ間にわたる第２線分３４ｅ、３５ｅ、３６ｅによって取り除かれたような形状をしており、その第２線分３４ｅ、３５ｅ、３６ｅの形状は、隣り合ったシート３４、３５、３６間において、互いに異なっている。
【００１７】
すなわち、拡散シート３４について言えば、二辺３４ａ、３４ｄによって形成された角部Ｂの先端が、二辺３４ａ、３４ｄを連結する直線（第２線分）３４ｅによって取り除かれたような形状をしており、レンズシート３５は、二辺３５ａ、３５ｄによって形成された角部Ｂの先端が、二辺３５ａ、３５ｄを連結する外方へ突出する円弧（第２線分）３５ｅによって取り除かれたような形状をしており、また、レンズシート３６については、二辺３６ａ、３６ｄによって形成された角部Ｂの先端が、二辺３６ａ、３６ｄを連結する直線（第２線分）３６ｅによって取り除かれたような形状をしている。これにより、導光板３３、拡散シート３４およびレンズシート３５、３６の角部Ｂには、シート欠品検出部が形成される（図５示）。
【００１８】
シート３４、３６の角部Ｂの先端を取り除く直線３４ｅ、３６ｅは、これに限定されるものではないが、シート３４、３６の二辺３４ａ、３４ｄ、３６ａ、３６ｄに対して、それぞれ４５°の角度を成すように形成されており、また、シート３５の角部Ｂの先端を取り除く円弧３５ｅは、所定半径の円の１／４円周にて形成されている。図５Ｂに示すように、拡散シート３４およびレンズシート３５、３６は、その除去された部位の小さいものから順に積み上げられ（換言すれば、残存部位の大きいものから順に積み上げられている）、レンズシート３５の円弧３５ｅの端部は、その上に積層されたレンズシート３６の直線３６ｅによって結ばれている。尚、導光板３３の角部Ｂについては、その先端は取り除かれていない。
【００１９】
拡散シート３４およびレンズシート３５、３６の角部Ｂにおいて、第２線分３４ｅ、３５ｅ、３６ｅによって取り除かれた部位は、導光板３３、拡散シート３４およびレンズシート３５、３６の角部Ａにおいて、線分３３ｃ、３４ｃ、３５ｃ、３６ｃによって取り除かれた部位よりも小さく、従って、それぞれのシートの角部Ｂが、本来、角部Ａが配置されるべきである、トレイ３２の対向面３２ｃが形成された部位に配置されると、導光板３３は言うまでもなく、拡散シート３４およびレンズシート３５、３６の角部Ｂは、トレイ３２の対向面３２ｃ上に乗り上げるように形成されている。
【００２０】
尚、拡散シート３４、およびレンズシート３５、３６は、当初長方形を呈したシート部材の角部Ｂを、それぞれ直線３４ｅ、３６ｅまたは円弧３５ｅによって、実際に切断して形成してもよいし、あるいは、成形型を用いて、当初からそれぞれの角部Ｂの先端が取り除かれた形状をしたシート３４、３５、３６に形成してもよい。また、導光板３３、拡散シート３４およびレンズシート３５、３６の、角部ＣおよびＤ（図３示）については、その先端は一切取り除かれていない。
【００２１】
導光板３３、拡散シート３４およびレンズシート３５、３６は、角部Ｂの除去された部位の小さいものから順に積み上げられ、拡散シート３４およびレンズシート３５、３６の角部Ｂを構成する二辺３４ａ、３４ｄ、３５ａ、３５ｄ、３６ａ、３６ｄ間にわたる第２線分３４ｅ、３５ｅ、３６ｅの形状は、その隣り合ったシート間において、互いに異なっていることにより、シート積層体を構成するこれらのシート３３、３４、３５、３６のうち、いずれかが不足していれば、互いに形状の異なる、その第２線分３４ｅ、３５ｅ、３６ｅの配列に変調を来たし、目視により即座に違和感を得るため、それぞれのシート３３、３４、３５、３６の充足、欠品が容易に判別できる（シート欠品検出機能）。
【００２２】
また、互いに隣り合ったシート間において、一方のシート３４、３６については、その角部を構成する二辺３４ａ、３４ｄ、３６ａ、３６ｄが直線３４ｅ、３６ｅによって連結されるとともに、他方のシート３５については、その角部Ｂを構成する二辺３５ａ、３５ｄが曲線（円弧３５ｅ）によって連結されたことにより、直線３４ｅ、３６ｅと曲線３５ｅとが隣り合うため、シート３４、３５、３６の欠品をより発見しやすくなる。
【００２３】
次に、図６および図７に基づいて、導光板３３、または拡散シート３４、もしくはレンズシート３５、３６が、裏返して配置されたことを発見する機能（シート反転検出機能）について説明する。導光板３３、拡散シート３４およびレンズシート３５、３６のうちのいずれかが、その表裏を逆向きに（反転）してトレイ３２内に配置されると、その反転されたシートの角部ＢまたはＤが、本来は角部Ａが配置されるべきである、トレイ３２の対向面３２ｃが形成された部位に載置される。角部Ｂが、トレイ３２の対向面３２ｃが形成された部位に載置された場合、図６に示すように、反転された導光板３３、または拡散シート３４、もしくはレンズシート３５、３６の角部Ｂが、トレイ３２の対向面３２ｃ上に乗り上げ、これを目視することにより、該当するシートが反転されたことが発見される。また、導光板３３、拡散シート３４およびレンズシート３５、３６のいずれかが反転され、その角部Ｄが、トレイ３２の対向面３２ｃが形成された部位に載置された場合、その先端が取り除かれていない角部Ｄが、トレイ３２の対向面３２ｃ上に乗り上げることは、言うまでもない。
【００２４】
本実施形態によれば、導光板３３、拡散シート３４およびレンズシート３５、３６の角部Ａの先端は、その角部を構成する二辺３３ａ、３３ｂ、３４ａ、３４ｂ、３５ａ、３５ｂ、３６ａ、３６ｂ間にわたる線分３３ｃ、３４ｃ、３５ｃ、３６ｃによって取り除かれたような形状をしており、トレイ３２の壁部３２ｂは、先端が取り除かれた角部Ａの形状に対応するように、角部Ａの線分３３ｃ、３４ｃ、３５ｃ、３６ｃに沿って対向面３２ｃが形成されており、導光板３３、または拡散シート３４、もしくはレンズシート３５、３６がその表裏が逆の状態でトレイ３２に収容された場合、その他の角部Ｂ、Ｄ（の先端）が、対向面３２ｃに乗り上げる構成としたことにより、導光板３３、または拡散シート３４、もしくはレンズシート３５、３６が裏向きに配置されたことを容易に発見することができる。また、導光板３３、拡散シート３４およびレンズシート３５、３６の角部Ａの先端を取り除いたような形状にしたのみであるため、導光板３３、拡散シート３４およびレンズシート３５、３６のアクティブエリアを犠牲にせずに、小型のバックライト装置３にすることができる。
【００２５】
また、導光板３３、拡散シート３４およびレンズシート３５、３６が積層されてトレイ３２に収容され、導光板３３、拡散シート３４およびレンズシート３５、３６の角部Ａにシート反転検出部を形成しており、その他の角部Ｂにシート欠品検出部を形成し、導光板３３、または拡散シート３４、もしくはレンズシート３５、３６が、その表裏が反転した状態でトレイ３２に収容された場合、シート欠品検出部がトレイ３２の対向面３２ｃに乗り上げる構成としたことにより、シート反転検出部により、導光板３３、または拡散シート３４、もしくはレンズシート３５、３６が裏向きに配置されたことを容易に発見することができるとともに、シート欠品検出部によって、導光板３３、拡散シート３４およびレンズシート３５、３６中の欠品も容易に発見することができる。また、バックライト装置３の前方に、ディスプレイパネル４を配置した構成としたことにより、導光板３３、または拡散シート３４、もしくはレンズシート３５、３６が裏向きに配置されたことを容易に発見することができる、小型の液晶ディスプレイ２およびテレビ受信装置１にすることができる。
【００２６】
＜変形例＞
次に、本発明の変形例を図８によって説明する。図において、一点鎖線による正方形はシート反転検出部が形成された角部を、同様に、一点鎖線による円はシート欠品検出部が形成された角部を表している。図８Ａに示された変形例１においては、導光板３３、拡散シート３４およびレンズシート３５、３６の４つの角部のうち、対角線上に対向する角部にシート反転検出部が一対に形成され、残りの角部のうちの１つにシート欠品検出部が形成されたものである。
【００２７】
図８Ｂに示された変形例２においては、導光板３３、拡散シート３４およびレンズシート３５、３６の４つの角部のうち、対角線上に対向する角部にシート欠品検出部が一対に形成され、残りの角部のうちの１つにシート反転検出部が形成されたものである。
図８Ｃに示された変形例３においては、導光板３３、拡散シート３４およびレンズシート３５、３６の４つの角部のうち、対角線上に対向する角部にシート反転検出部が一対に形成され、残りの角部にシート欠品検出部が一対に形成されたものである。この構成を採ることにより、最低、隣り合った２箇所の角部を点検すれば、導光板３３、拡散シート３４およびレンズシート３５、３６の裏向き配置と欠品とを発見することができ、これらの確認を短時間で容易に行うことができる。
【００２８】
図８Ｄに示された変形例４においては、導光板３３、拡散シート３４およびレンズシート３５、３６の４つの角部のうち、対角線上に対向する角部にシート反転検出部とシート欠品検出部が１つずつ形成されたものである。
図８Ｅに示された変形例５においては、導光板３３、拡散シート３４およびレンズシート３５、３６の４つの角部のうち、３つの角部にシート欠品検出部が形成され、残る１つの角部にシート反転検出部が形成されたものである。
図８Ｆに示された変形例６においては、導光板３３、拡散シート３４およびレンズシート３５、３６の４つの角部のうち、３つの角部にシート反転検出部が形成され、残る１つの角部にシート欠品検出部が形成されたものである。
尚、上述した変形例１〜６においても、導光板３３、拡散シート３４およびレンズシート３５、３６のシート反転検出部が本来配置されるべき、トレイ３２の壁部３２ｂの部位には、対向面３２ｃが形成されていることは言うまでもない。
以上の変形例に関してのシート反転検出機能については、上述した実施形態のものと同様であるため説明は省略する。
【００２９】
＜他の実施形態＞
本発明は上記記述及び図面によって説明した実施形態に限定されるものではなく、例えば次のような実施形態も本発明の技術的範囲に含まれる。
（１）本発明の光学シートには、反射シート等のあらゆる調光用シートが含まれる。
（２）本発明によるバックライト装置は、プラズマディスプレイ装置といった、液晶によるディスプレイ以外の表示装置にも適用可能である。
（３）本発明によるバックライト装置は、サイドライト型にも適用可能である。
（４）バックライト装置の光源には、冷陰極管、熱陰極管、放電灯等が適用可能である。
（５）シート反転検出部に形成された線分には、曲線を用いてもよい。
（６）シート欠品検出部に形成された線分には、円弧以外の曲線、あるいは、シートの外辺に対する角度が４５°以外の直線を適用してもよい。
（７）光学シートの角部にシート欠品検出部を形成せずに、シート反転検出部と先端を取り除いていない角部のみで構成してもよい。
【図面の簡単な説明】
【００３０】
【図１】本発明の実施形態によるテレビ受信装置の分解斜視図である。
【図２】図１に示した液晶ディスプレイの分解斜視図である。
【図３】図１に示した光学シートの平面図である。
【図４Ａ】光学シートのシート反転検出部をトレイに収容する前の分解平面図である。
【図４Ｂ】光学シートのシート反転検出部をトレイに収容したところを示した拡大平面図である。
【図５Ａ】光学シートのシート欠品検出部をトレイに収容する前の分解平面図である。
【図５Ｂ】光学シートのシート欠品検出部をトレイに収容したところを示した拡大平面図である。
【図６Ａ】導光板の表裏を反転した状態に配置して、シート欠品検出部がトレイの対向面に乗り上げたところを示した拡大平面図である。
【図６Ｂ】拡散シートの表裏を反転した状態に配置して、シート欠品検出部がトレイの対向面に乗り上げたところを示した拡大平面図である。
【図６Ｃ】下側のレンズシートの表裏を反転した状態に配置して、シート欠品検出部がトレイの対向面に乗り上げたところを示した拡大平面図である。
【図６Ｄ】上側のレンズシートの表裏を反転した状態に配置して、シート欠品検出部がトレイの対向面に乗り上げたところを示した拡大平面図である。
【図７】光学シートの表裏を反転した状態に配置したところを示した分解断面図である。
【図８Ａ】本発明の変形例１による光学シートの平面図である。
【図８Ｂ】本発明の変形例２による光学シートの平面図である。
【図８Ｃ】本発明の変形例３による光学シートの平面図である。
【図８Ｄ】本発明の変形例４による光学シートの平面図である。
【図８Ｅ】本発明の変形例５による光学シートの平面図である。
【図８Ｆ】本発明の変形例６による光学シートの平面図である。
【符号の説明】
【００３１】
１…テレビ受信装置
２…液晶ディスプレイ
３…バックライト装置
４…ディスプレイパネル
３１…蛍光灯
３２…トレイ
３２ｂ…壁部
３２ｃ…対向面
３３…導光板
３３ａ、３３ｂ、３３ｄ、３４ａ、３４ｂ、３４ｄ、３５ａ、３５ｂ、３５ｄ、３６ａ、３６ｂ、３６ｄ…光学シートの辺
３３ｃ、３４ｃ、３５ｃ、３６ｃ…線分
３４ｅ、３５ｅ、３６ｅ…第２線分
３４…拡散シート
３５、３６…レンズシート
Ａ、Ｂ、Ｃ、Ｄ…光学シートの角部
【図１】
2008218432.tif 000003
【図２】
2008218432.tif 000004
【図３】
2008218432.tif 000005
【図４Ａ】
2008218432.tif 000006
【図４Ｂ】
2008218432.tif 000007
【図５Ａ】
2008218432.tif 000008
【図５Ｂ】
2008218432.tif 000009
【図６Ａ】
2008218432.tif 000010
【図６Ｂ】
2008218432.tif 000011
【図６Ｃ】
2008218432.tif 000012
【図６Ｄ】
2008218432.tif 000013
【図７】
2008218432.tif 000014
【図８Ａ】
2008218432.tif 000015
【図８Ｂ】
2008218432.tif 000016
【図８Ｃ】
2008218432.tif 000017
【図８Ｄ】
2008218432.tif 000018
【図８Ｅ】
2008218432.tif 000019
【図８Ｆ】
2008218432.tif 000020